(57)【要約】【課題】脱着が容易で且つ付け心地が良く、装着することで皮膚の弛みを解消させて、筋力の低下を抑え、猫背姿勢を抑制して、腰痛の発症を抑制する腹巻きを提供する。【解決手段】本考案の腹巻き１は、全体に伸縮性素材の生地からなる筒状体２とし、筒状体２は、背部を覆う第１生地半体１１と腹部を覆う第２生地半体１２とからなり、第１生地半体１１は上下方向にのみ伸縮性を有し、第２生地半体１２は、左右方向にのみ伸縮性を有する。【選択図】図１
0003218063.tif 000002
【実用新案登録請求の範囲】
【請求項１】
人体の胴部に装着させる腹巻きであって、
全体に伸縮性素材の生地からなる筒状体とし、
前記筒状体のうち、背部を覆う第１生地半体は上下方向にのみ伸縮性を有し、腹部を覆う第２生地半体は左右方向にのみ伸縮性を有する腹巻き。
【請求項２】
請求項１に記載の腹巻きにおいて、
少なくとも腹部のみぞおち辺りから臍下４横指辺りまでを覆う長さを有する腹巻き。
【請求項３】
請求項１又は２に記載の腹巻きにおいて、
第１、第２生地半体は、それぞれ、綿９８％、ポリウレタン２％の混紡糸により編み上げられた横長略矩形状の編地からなり、
前記第１生地半体を構成する編地は、前記横長矩形状の長辺に沿った多数の横リブを有し、
前記第２生地半体を構成する編地は、前記横長矩形状の短辺に沿った多数の縦リブを有し、
これら第１生地半体の編地と第２生地半体の編地との短辺相互を縫い合わせて前記筒状体を構成している腹巻き。
【請求項４】
請求項１〜３のいずれか１項に記載の腹巻きにおいて、
前記筒状体の高さは約２５０ｍｍとし、
前記第１生地半体の左右方向に対する上下方向の伸び率、及び、前記第２生地半体の上下方向に対する左右方向の伸び率は、約１．２倍の伸び率を有する腹巻き。
【考案の詳細な説明】
【技術分野】
【０００１】
本考案は、人体の腰部に装着する腹巻きに関し、特に、猫背姿勢（前屈位姿勢）を抑制して腰痛を緩和或いは消失させる腹巻きに関する。
【背景技術】
【０００２】
加齢や運動不足等によって生じた血行障害等により、筋肉や脂肪等の皮下組織が痩せてくると、皮膚に弛みが生じ、それに伴い、筋力が低下する。特に、脊柱起立筋等の背部の筋肉の筋力が低下して筋肉が伸びたままとなると、背中が丸く曲がって頭が前に突き出される、所謂、猫背姿勢（前屈位の姿勢）になり易い。長期間の猫背姿勢は、脊髄や脊髄神経の圧迫を引き起こし、腰痛を発症させ易くなる。従来、腰痛を緩和するためのコルセットやサポーターが多々あるが、その多くは、帯状体を腰に巻き付けて止着するベルト形式のものである（特許文献１、２）。また、巻方向に弾性帯と非弾性帯とを有し、運動時でもズレ難い腹巻きもある（特許文献３）。
【先行技術文献】
【特許文献】
【０００３】
【特許文献１】特開２０１１−３６５５３号公報
【特許文献２】特開２０１５−１３９６０５号公報
【特許文献３】実用新案登録第３１６９８０６号公報
【考案の概要】
【考案が解決しようとする課題】
【０００４】
しかしながら、コルセットやサポーターでは、帯状体を腰に巻き付けて止着する必要があり、脱着が面倒である上に装着中にずれ易い。また、その多くは、腹部を背部に押え付けて腰部を固定するものであるから動き辛く着け心地も悪い。筒状に製作された腹巻きは、腰痛を緩和させたり腰痛を引き起こさないようにするためのものではない。
【０００５】
本考案は、以上の事情に鑑みてなされたものであり、脱着が容易で且つ付け心地が良く、装着することで皮膚の弛みを解消させて、筋力の低下を抑え、猫背姿勢を抑制して、腰痛の発症を抑制する腹巻きを提供することを課題とする。
【課題を解決するための手段】
【０００６】
上記課題を解決するため、本考案は、
人体の胴部に装着させる腹巻きであって、
全体に伸縮性素材の生地からなる筒状体とし、
前記筒状体のうち、背部を覆う第１生地半体は上下方向にのみ伸縮性を有し、腹部を覆う第２生地半体は左右方向にのみ伸縮性を有するものとする。
【０００７】
本考案の腹巻きは、第１生地半体の両側縁部と第２生地半体の両側縁部とを繋ぎ合わせて筒状体としたものであり、第１生地半体が背中側に、第２生地半体が腹側に位置するように装着する。筒状体は全体に伸縮性素材の生地から構成されているから、ある程度強制的に引き伸ばされながら胴部に装着される。装着後において、背部の皮膚は、上下方向にのみ伸縮性を有する第１生地半体によって上下から中央側へ引っ張られる態様となり、腹部の皮膚は、左右方向にのみ伸縮性を有する第２生地半体によって左右から中央側へ引っ張られる態様となる。
すなわち、背部では、第１生地半体の上下方向の収縮作用によって、背部の皮膚は、上下から中央に向かって引っ張られることとなり、背部の皮膚の弛みを解消させることが出来る。すると、背部の皮膚が上下に伸び縮みする動きと、背柱起立筋や広背筋等の背部の筋肉が上下に伸縮する動きとが整合することとなり、これら背部の筋肉の働きを補うことが出来る。よって、背部の筋肉の筋力低下を予防することが出来る。
同様に、腹部の皮膚は、第２生地半体の収縮作用によって、左右から中央側へ引っ張られ、腹部の皮膚の弛みが解消される。それと共に、腹部の皮膚が左右に伸び縮みする動きと、腹横筋、外腹斜筋、内腹斜筋等の腹部の筋肉が左右に伸び縮みする動きとが整合し、これら腹部の筋肉の働きを補うことが出来る。よって、腹部の筋肉の筋力低下を予防することが出来る。
【考案の効果】
【０００８】
以上のように、本考案の腹巻きによれば、第１生地半体が背部を覆い、第２生地半体が腹部を覆うように、筒状体を胴部に装着することで、背部及び腹部における皮膚の弛みや皮膚の弛みから生じる各種筋力の低下を補うことが出来るようにしたから、筋力の低下による猫背姿勢（前屈位姿勢）が改善され、猫背姿勢によって引き起こされる脊髄や脊髄神経の圧迫が緩和される。その結果、腰痛を軽減・消失させ、さらには、猫背姿勢を抑制することにより、腰痛を予防することも可能となる。また、筒状に形成されているから人体への脱着が容易で装着中でも動き易く、ずれることもなく、装着しているだけで上半身の前屈・後屈が非常に楽に行うことが可能となる。
【図面の簡単な説明】
【０００９】
【図１】本考案の実施形態に係る腹巻きを示す斜視図である。
【図２】本考案の実施形態に係る腹巻きを構成する第１、第２生地半体の説明図である。
【図３】本考案の実施形態に係る腹巻きの使用状態を示す説明図である。
【考案を実施するための形態】
【００１０】
以下に、本考案の実施形態について図面を参照しながら説明する。
図１に示すものは、実施形態の腹巻き(1)の斜視図であり、全体に伸縮性素材製の編地からなる２枚の第１、第２生地半体(11)(12)をその両端部同士を縫い合わせて筒状体(2)としたものである。
【００１１】
第１、第２生地半体(11)(12)は、それぞれ、綿９８％、ポリウレタン２％の混紡糸を多数のリブ(10)を有するように丸編みによって編み上げることにより、伸縮性に富んだソフトな風合いの横長略矩形状の編地からなり、図２(A)に示す第１生地半体(11)は、リブ(10)が横長略矩形状の長辺に沿って横に走るように形成されており、図２(B)に示す第２生地半体(12)は、リブ(10)が横長略矩形状の短辺に沿って縦に走るように形成されている。これにより、第１生地半体(11)は、図２(A)の矢印に示すように、縦方向にのみ伸縮性を有するものとなり、第２生地半体(12)は、図２(B)の矢印に示すように、横方向にのみ伸縮性を有するものとなる。本腹巻き(1)では、ポリウレタンの混紡糸を使用することによって伸縮性を強化させている。つまり、伸びた際の戻る力を強化している。なお、第１生地半体(11)の横方向への伸び、第２生地半体(12)の縦方向への伸びは、編地（ニット）の特性上の伸縮性は多少有している。
【００１２】
これら第１、第２生地半体(11)(12)を重ね合わせ、対向する短辺相互を縫い付けて、図１に示すような筒状体(2)に形成すれば、腹巻き(1)が完成する。この腹巻き(1)のサイズは、体形、大人、子どもなどの胴回りに応じて、Ｓ・Ｍ・Ｌ・２Ｌが用意されているが、筒状体(2)の高さ（筒の軸線方向の長さ）は、約２５０ｍｍに設定されている。この高さは、人体の胴部回りに装着したとき、腹部のみぞおち辺りから、臍下４〜５横指辺り或いは腰骨上縁（ヤコビー線）辺りまでを覆うことが出来る。
【００１３】
次に、腹巻き(1)の使用例を説明する。
この腹巻き(1)は、第１生地半体(11)が人体の背部側に、第２生地半体(12)が腹部側に配置されるように胴体回りに装着する。装着に際し、第１生地半体(11)は縦方向（上下方向）に強制的に伸ばされると同時に、第２生地半体(12)は横方向（左右方向）に強制的に伸ばされながら装着される。よって、装着完了後には、背部では、第１生地半体(11)の収縮力が上下方向に作用することにより、図３(A)の矢印に示すように、背部の皮膚は上下から中央側へ引っ張られる態様となる。腹部では、第２生地半体(12)の収縮力が左右方向に作用することによって、腹部の皮膚は、図３(B)の矢印に示すように、左右から中央側へ引っ張られる態様となる。
【００１４】
例えば、加齢や運動不足等によって肩や背中の筋肉や脂肪等の皮下組織が減退し皮膚に弛みが生じると、それに伴い、筋力が低下してしまう。そこで、本腹巻き(1)を装着することにより、背部には、第１生地半体(11)による上下から中央部に向かう収縮力が作用することによって背部の皮膚は、図３(A)の矢印の方向に引っ張られることとなり、背部の皮膚の弛みは解消される。背部の皮膚が上下方向に伸び縮みする動きと、背柱起立筋や広背筋等の背部の筋肉が上下方向に伸縮する動きとが整合することにより、これら背部の筋肉の働きを補うことが出来る。このように、腹巻き(1)を装着することにより、背部の皮膚を引っ張ったり背部の筋肉の動きを補ったりすることが出来るから、背部の皮膚の弛みやそれによって生じる筋力低下を予防することが出来る。よって、脊柱起立筋等の背部の筋肉の筋力低下によって生じる猫背姿勢（前屈位の姿勢）が抑制され、さらには、猫背姿勢によって引き起こされる脊髄や脊髄神経の圧迫が緩和され、その結果、腰痛を軽減、消失させると共に、予防することも可能となる。
【００１５】
これと同時に、腹部も、第２生地半体(12)によって左右から中央部に引っ張られるから、腹部の皮膚の弛みを補うことが出来る。腹部の皮膚が左右方向に伸び縮みする動きと、腹横筋、外腹斜筋、内腹斜筋等の腹部の筋肉が左右方向に伸縮する動きとが整合することとなり、腹部の皮膚の弛みや、これから生じる腹部の筋力の低下を予防することが出来る。腹部の皮膚の弛みやそれによって生じる筋力低下を予防することによっても猫背姿勢を抑制し、正しい姿勢に導くことが出来る。
【００１６】
なお、第１生地半体(11)において左右方向（横方向）に対する上下方向（縦方向）の伸び率、及び、第２生地半体(12)において上下方向（縦方向）に対する左右方向（横方向）の伸び率は、ともに約１．２倍程度に設定されている。
また、本考案の腹巻き(1)は、筒状に形成されているから、脱着が容易であり、また、リブ(10)を有する丸編みによって、伸縮性に富んだソフトな風合いに編み上げられたニット製品としたから付け心地が良い。
また、本考案の腹巻き(1)は、人体の腰部に直に装着しても良いし、下着等の衣類の上から装着しても上記同様の効果を有する。
【符号の説明】
【００１７】
(1)・・・腹巻き
(2)・・・筒状体
(10)・・・リブ（横リブ、縦リブ）
(11)・・・第１生地半体
(12)・・・第２生地半体
【図１】
0003218063.tif 000003
【図２】
0003218063.tif 000004
【図３】
0003218063.tif 000005